(57)【要約】【課題】被介護者の居室間の移動に伴って、居室に備えられた電話機への接続を切り替える介護システムを提供する。【解決手段】（１）介護センター５と、電話機８ａ、８ｂ、８ｃ、…８ｘを備えた居室１０ａ、１０ｂ、１０ｃ、…１０ｘとを有する共有持分化した介護専用分譲ホーム４と、（２）居室に備えられた電話機８ａ、８ｂ、８ｃ、…８ｘへの接続を切り替える電話接続切替機１００と、（３）電話接続切替機１００を介して居室の電話機８ａ、８ｂ、８ｃ、…８ｘと連結された分譲マンション内の個宅１２ａ、１２ｂ、…１２ｘ及び一戸建て個宅１４ａ、１４ｂ、…１４ｘとからなる介護システム。被介護者が居室１０ａ、１０ｂ、１０ｃ、…１０ｘ間を移動するのに伴って、各居室に備えられた電話機８ａ、８ｂ、８ｃ、…８ｘへの接続を電話接続切替機１００により切り替えることにより、同一被介護者に同一の電話番号を付随させる。【選択図】  図１
2005210562.tif 000002
【特許請求の範囲】
【請求項１】
所有権と、居住権と、電話接続切替機とを共有持分化した介護専用分譲ホーム。
【請求項２】
（１）介護センターと、電話機を備えた居室とを有する共有持分化した介護専用分譲ホームと、
（２）居室に備えられた電話機への接続を切り替える電話接続切替機と、
（３）前記電話接続切替機を介して居室の電話機と連結された複数の個宅と、
からなる介護システム。
【発明の詳細な説明】
【技術分野】
【０００１】
本発明は、共有持分化した介護専用分譲ホーム内の居室に電話接続切替機に連結した電話機を設置することにより、被介護者が介護専用分譲ホーム内の居室間を移動するのに伴って居室に備えられた電話機への接続を切り替えて被介護者に同一電話番号を付随させることができる介護システムに関する。
【背景技術】
【０００２】
人口の高齢化に伴い、高齢者介護の問題は重大な社会的問題となっている。我が国においては１９９７年に介護保険法が制定され、被保険者から徴収した保険料により介護サービスを提供する社会保険制度が開始されている。以来、多様な事業者から、様々な介護サービスが提供されるようになっている。最近では介護を必要とする高齢者も急激に増加しつつあり、今後はますます利用者のニーズが多様化し、より一層様々なサービスの提供が求められていくことが予想される。
【０００３】
介護サービスとしては、居宅において主に家族を中心に行われる居宅介護に対するものと、生活介護施設や介護療養型医療施設等で行われる施設介護サービスとがある。施設介護は、設備が整った施設で専門家による適切な介護が受けられるという利点を有しているが、被介護者は家族と別れ、住み慣れた居宅を離れて新たな施設での生活を余儀なくされることからとかく不安を抱きがちである。
【０００４】
従来、分譲マンションに付帯して介護施設を設け、介護が必要となった居住者がいつでも介護施設へ移動して居住できる介護システムがある（特許文献１）。
【０００５】
【特許文献１】特開２００３−２１０５３２号公報（請求項１）
【発明の開示】
【発明が解決しようとする課題】
【０００６】
本発明者は施設介護の問題について検討を行った結果、被介護者が病気の種類、状態に応じて、介護施設内の居室間を移動すると、それに伴い介護施設の各居室に設置された各電話機の電話番号も異なるものとなるので、その度に電話相手に新しい電話番号を連絡する必要があり介護施設の各居室と外部との電話連絡の障害となっており、居宅介護と異なることによる被介護者の不安増加の一因になっていることを見出した。
【０００７】
本発明の目的は、一戸建て個宅又は分譲マンション内の個宅から共有持分化した介護施設（介護専用分譲ホーム）へ被介護者が移動した後、被介護者の居室間の移動に応じて介護施設内の居室に備えられた電話機への接続を切り替えて同一被介護者に常に同一の電話番号を割り当てることができる施設を共有化した介護システムを提供することにより、介護施設とその地域を一体としたコミュニティを形成することにある。
【課題を解決するための手段】
【０００８】
上記課題を解決する本発明は、以下に記載するものである。
【０００９】
〔１〕  所有権と、居住権と、電話接続切替機とを共有持分化した介護専用分譲ホーム。
【００１０】
〔２〕  （１）介護センターと、電話機を備えた居室とを有する共有持分化した介護専用分譲ホームと、
（２）居室に備えられた電話機への接続を切り替える電話接続切替機と、
（３）前記電話接続切替機を介して居室の電話機と連結された複数の個宅と、
からなる介護システム。
【発明の効果】
【００１１】
本発明によれば、一戸建て個宅や分譲マンション内の個宅と、独立して共有持分化した介護施設を設け、介護が必要になった個宅の居住者がいつでも自分が共有持分化した介護施設へ移動できるシステムとしたので、被介護者は自分の持ち家（共有であるが）で介護されることになり、被介護者の介護施設に入居して介護を受けることに対する不安を軽減できる。また、病状等に応じて異なった設備を有する各居室間を移動することにより最適な介護を受けることが可能となるが、この際居室の電話番号も、被介護者の移動に付帯して移動するようにしているので、外部との電話連絡では同一番号が保たれ便利であると共に、介護施設に入居する不安が減少する。共有持分化した介護専用分譲ホームは、所有者を多数募ることにより一人当たりの購入費用を低減することができる。
【発明を実施するための最良の形態】
【００１２】
以下、図１を参照して本発明の介護システムを詳細に説明する。
【００１３】
今後は、少子高齢化による人口体系の変化により家族間での介護がますます難しい状況になることが予想される。本システムは、家族という枠を超えてそれぞれの地域が一つの家族であるような互いのサポート関係を築き、地域で高齢者を支え合う介護システムである。
【００１４】
図１は、本発明の介護システムの一例を示す概略図である。図１中、２は分譲マンションである。分譲マンション２内には分譲マンションの区分所有者が居住する個宅１２ａ、１２ｂ、…１２ｘが設けられている。４は、介護専用分譲ホームである。介護専用分譲ホーム４は、施設全体の所有権及び居住権が、分譲マンション内の個宅１２ａ、１２ｂ、…１２ｘのいずれか又は全部の所有者及び一戸建て個宅１４ａ、１４ｂ、…１４ｘのいずれか又は全部の所有者により共有持分化されたものである。介護専用分譲ホーム４内には、介護センター５と、電話機８ａ、８ｂ、８ｃ、…８ｘが設置された被介護者用の居室１０ａ、１０ｂ、１０ｃ、…１０ｘが設けられている。電話機８ａ、８ｂ、８ｃ、…８ｘは、電話線２０により介護専用分譲ホーム４内に設置された電話接続切替機１００と接続している。
【００１５】
分譲マンション２内の各個宅１２ａ、１２ｂ、…１２ｘには電話機６ａ、６ｂ、…６ｘが設置されている。電話機６ａ、６ｂ、…６ｘは、電話線２２により電話接続切替機１００と接続し、電話接続切替機１００を介して居室１０ａ、１０ｂ、１０ｃ、…１０ｘに備えられた電話機８ａ、８ｂ、８ｃ、…８ｘと連結する。一方、一戸建て個宅１４ａ、１４ｂ、…１４ｘに備えられた電話機７ａ、７ｂ、…７ｘについても同様に、電話線２４により電話接続切替機１００を介して電話機８ａ、８ｂ、８ｃ、…８ｘと連結する。電話接続切替機１００は、必要に応じて電話機８ａ、８ｂ、８ｃ、…又は８ｘへの接続を、他の電話機への接続に切り替える機能を有している。介護専用分譲ホームは施設全体が共有持分化しているので、その付帯設備である電話接続切替機１００についても介護専用分譲ホーム４の所有者の共有とすることができ、電話機８ａ、８ｂ、８ｃ、…８ｘ間で接続の切り換えが可能となる。この切り替えは、各居室が共有ではない個別所有である場合にはできないことである。電話接続切替機１００により電話機への接続を切り替える方法としては、チャンネル、チューナー、スイッチ等により回路を切り替える方法、電子計算機を利用する方法等を挙げることができる。
【００１６】
分譲マンション内の個宅１２ａ、１２ｂ、…１２ｘ及び一戸建て個宅１４ａ、１４ｂ、…１４ｘの所有者は、介護専用分譲ホーム４が分譲マンション内個宅１２ａ、１２ｂ、…１２ｘ及び一戸建て個宅１４ａ、１４ｂ、…１４ｃの所有者の共有持分化した施設であるので、介護が必要になったときに自宅に入る感覚で個宅から介護専用分譲ホーム４内の居室１０ａ、１０ｂ、１０ｃ、…１０ｘへ移動して居住しながら介護を受けることができる。
【００１７】
介護専用分譲ホーム４内においては、被介護者が病状、要介護度等に応じて各居室間を移動することが可能で、被介護者の移動に応じて介護専用分譲ホーム４内の居室に備えられた電話機８ａ、８ｂ、８ｃ、…８ｘへの接続を切り替える。例えば、被介護者が介護専用分譲ホーム４の居室１０ａから１０ｂへ移動した場合には、電話機８ａへの接続を、電話接続切替機１００により移動先の居室１０ｂに備えられた電話機８ｂへの接続に切り替える。電話機８ａへの接続を電話機８ｂへの接続に切り替えることにより、電話番号切替のための工事を行うことなく被介護者は前の居室１０ａで使用していた電話番号を移動後の居室１０ｂにおいても継続して使用することができる。
【００１８】
介護専用分譲ホーム４の建設時には、居室、介護センター、事務室、管理人室等に電話機の他、インターネットに接続可能なパーソナルコンピュータ、ケーブルテレビ等を設置し、各部で統一的機能を持たせることが好ましい。
【図面の簡単な説明】
【００１９】
【図１】本発明の介護システムの一例を示す概略図である。
【符号の説明】
【００２０】
２    分譲マンション
４    介護専用分譲ホーム
５    介護センター
６ａ、６ｂ、６ｘ、７ａ、７ｂ、７ｘ、８ａ、８ｂ、８ｃ、８ｘ    電話機
１０ａ、１０ｂ、１０ｃ、１０ｘ    居室
１２ａ、１２ｂ、１２ｘ    分譲マンション内個宅
１４ａ、１４ｂ、１４ｘ    一戸建て個宅
２０、２２、２４    電話線
１００    電話接続切替機
【図１】
2005210562.tif 000003